(57)【要約】【課題】映像表示機器を埋込状に配設可能でありながらも、壁下地ボードの取付強度を向上し得る映像表示機器取付装置及び映像表示機器取付構造を提供する。【解決手段】映像表示機器取付装置１は、一対の縦桟１０，１０と、上下方向に間隔を空けてかつ前記一対の縦桟間に配されて壁厚方向両側に壁下地ボード５，７が固定される上下の中間縦桟１３（１４，１６）と、前記一対の縦桟及び前記上下の中間縦桟に架け渡されるように固定される連結部材２０，２１，２４と、を備え、上側の中間縦桟１４と下側の中間縦桟１６との間に納められるように映像表示機器９が埋込状に配設される構成とされている。【選択図】図１
2016057473.tif 000002
【特許請求の範囲】
【請求項１】
一対の縦桟と、上下方向に間隔を空けてかつ前記一対の縦桟間に配されて壁厚方向両側に壁下地ボードが固定される上下の中間縦桟と、前記一対の縦桟及び前記上下の中間縦桟に架け渡されるように固定される連結部材と、を備え、上側の中間縦桟と下側の中間縦桟との間に納められるように映像表示機器が埋込状に配設される構成とされていることを特徴とする映像表示機器取付装置。
【請求項２】
請求項１において、
前記連結部材は、前記上側の中間縦桟の下端面及び前記下側の中間縦桟の上端面にそれぞれ固定される一対の横桟とされ、これら一対の横桟及び前記一対の縦桟によって囲まれる受入開口部に、該受入開口部に受け入れられる前記映像表示機器を保持する保持部材が配される構成とされていることを特徴とする映像表示機器取付装置。
【請求項３】
請求項２において、
前記受入開口部を囲むように配される壁下地ボードの端面が対向される枠部を備えていることを特徴とする映像表示機器取付装置。
【請求項４】
請求項３において、
前記枠部は、その表面が前記受入開口部を囲むように配される壁下地ボードの表面と同一平面状となるように配される構成とされていることを特徴とする映像表示機器取付装置。
【請求項５】
上下方向に間隔を空けてかつ一対の縦桟間に、壁厚方向両側に壁下地ボードが固定される上下の中間縦桟を設け、前記一対の縦桟及び前記上下の中間縦桟に架け渡すように連結部材を固定し、かつ、上側の中間縦桟と下側の中間縦桟との間に納めるように映像表示機器を埋込状に配設した構造とされていることを特徴とする映像表示機器取付構造。
【請求項６】
請求項５において、
前記連結部材を、前記上側の中間縦桟の下端面及び前記下側の中間縦桟の上端面にそれぞれ固定された一対の横桟とし、これら一対の横桟及び前記一対の縦桟によって囲まれる受入開口部に、該受入開口部に受け入れられる前記映像表示機器を保持する保持部材を設けた構造とされていることを特徴とする映像表示機器取付構造。
【請求項７】
請求項６において、
前記受入開口部を囲むように配される壁下地ボードの表面と同一平面状となるように枠部を設け、この枠部に突き合わせるように前記壁下地ボードを配し、これら枠部及び壁下地ボードの表面に表面化粧材を貼着していることを特徴とする映像表示機器取付構造。
【請求項８】
請求項７において、
前記受入開口部の上方側部位及び下方側部位のそれぞれに、壁厚方向一方側の壁面において開口し、前記一対の縦桟間の空間に連通する通気口を設けていることを特徴とする映像表示機器取付構造。
【発明の詳細な説明】
【技術分野】
【０００１】
本発明は、映像表示機器が取り付けられる映像表示機器取付装置及び映像表示機器取付構造に関する。
【背景技術】
【０００２】
近年、テレビジョン受像機等の映像表示機器は、その薄型化に伴い、載置台等に置き設置される態様に代えて、壁に設置される設置態様が採用される場合がある。
例えば、下記特許文献１には、薄型ディスプレイ装置を保持する取付け枠体と、既存の部屋の壁面に沿って並行して伸び、取付け枠体が固定される２本の柱状体と、を備えた取付け装置が開示されている。
また、下記特許文献２には、表示装置が嵌め込まれる開口部が設けられ、表示装置を保持する板状の保持部材の両側部を、一対の柱状部材に接続し、一対の柱状部材及び保持部材の表裏を覆う下地ボードを設けた壁材が開示されている。
【先行技術文献】
【特許文献】
【０００３】
【特許文献１】特開２００４−２２６７９１号公報
【特許文献２】特開２００８−２０８７０６号公報
【発明の概要】
【発明が解決しようとする課題】
【０００４】
しかしながら、上記特許文献１に記載された取付け装置は、取付け装置が既存の部屋の壁面から突出するという問題があった。
また、上記特許文献２に記載された壁材では、表示装置の壁幅方向に沿う寸法の大型化に伴い、壁下地となる一対の柱状部材間の寸法が一般的な間柱間寸法よりも大きくなることが考えられ、更なる改善が望まれる。
【０００５】
本発明は、上記実情に鑑みてなされたものであり、映像表示機器を埋込状に配設可能でありながらも、壁下地ボードの取付強度を向上し得る映像表示機器取付装置及び映像表示機器取付構造を提供することを目的としている。
【課題を解決するための手段】
【０００６】
上記目的を達成するために、本発明に係る映像表示機器取付装置は、一対の縦桟と、上下方向に間隔を空けてかつ前記一対の縦桟間に配されて壁厚方向両側に壁下地ボードが固定される上下の中間縦桟と、前記一対の縦桟及び前記上下の中間縦桟に架け渡されるように固定される連結部材と、を備え、上側の中間縦桟と下側の中間縦桟との間に納められるように映像表示機器が埋込状に配設される構成とされていることを特徴とする。
【０００７】
また、上記目的を達成するために、本発明に係る映像表示機器取付構造は、上下方向に間隔を空けてかつ一対の縦桟間に、壁厚方向両側に壁下地ボードが固定される上下の中間縦桟を設け、前記一対の縦桟及び前記上下の中間縦桟に架け渡すように連結部材を固定し、かつ、上側の中間縦桟と下側の中間縦桟との間に納めるように映像表示機器を埋込状に配設した構造とされていることを特徴とする。
【発明の効果】
【０００８】
本発明に係る映像表示機器取付装置及び映像表示機器取付構造は、上述のような構成としたことで、映像表示機器を埋込状に配設可能でありながらも、壁下地ボードの取付強度を向上させることができる。
【図面の簡単な説明】
【０００９】
【図１】（ａ）〜（ｃ）は、本発明の一実施形態に係る映像表示機器取付装置及び映像表示機器取付構造の一例を模式的に示し、（ａ）は、図５（ｂ）におけるＸ１−Ｘ１線矢視に対応させた一部破断概略横断面図、（ｂ）は、図５（ｂ）におけるＸ２−Ｘ２線矢視に対応させた一部破断概略横断面図、（ｃ）は、（ｂ）に対応させた一部破断概略拡大横断面図である。
【図２】（ａ）は、図５（ｂ）におけるＹ−Ｙ線矢視に対応させた一部破断概略縦断面図、（ｂ）は、（ａ）に対応させた一部破断概略拡大縦断面図である。
【図３】（ａ）、（ｂ）は、同映像表示機器取付装置及び同映像表示機器取付構造の施工手順の一例を模式的に示す一部破断概略正面図である。
【図４】同映像表示機器取付装置及び同映像表示機器取付構造の施工手順の一例を模式的に示す一部破断概略正面図である。
【図５】（ａ）は、同映像表示機器取付装置及び同映像表示機器取付構造の施工手順の一例を模式的に示す一部破断概略正面図、（ｂ）は、同映像表示機器取付装置を施工した状態及び同映像表示機器取付構造を模式的に示す一部破断概略正面図である。
【図６】（ａ）、（ｂ）は、いずれも本発明の他の実施形態に係る映像表示機器取付装置及び映像表示機器取付構造の一例を模式的に示し、（ａ）は、図１（ｂ）に対応させた一部破断概略横断面図、（ｂ）は、（ａ）に対応させた一部破断概略拡大横断面図である。
【図７】（ａ）、（ｂ）は、いずれも本発明の更に他の実施形態に係る映像表示機器取付装置及び映像表示機器取付構造の一例を模式的に示し、（ａ）は、図２（ａ）に対応させた一部破断概略縦断面図、（ｂ）は、（ａ）に対応させた一部破断概略拡大縦断面図である。
【図８】（ａ）、（ｂ）は、同映像表示機器取付装置及び同映像表示機器取付構造の施工手順の一例を模式的に示し、図３（ｂ）及び図４にそれぞれ対応させた一部破断概略正面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、設置された映像表示機器取付装置に取り付けられた映像表示機器に対面した状態を基準として、手前側を壁厚方向一方側、その逆側を壁厚方向他方側とし、また、その状態を基準として、上下方向等の方向を説明する。
【００１１】
図１〜図５は、第１実施形態に係る映像表示機器取付装置及び映像表示機器取付構造の一例を模式的に示す図である。
本実施形態に係る映像表示機器取付装置１は、図１、図２及び図４に示すように、一対の縦桟１０，１０と、上下の中間縦桟１３（１４，１６）と、を備えている。上下の中間縦桟１３（１４，１６）は、上下方向に間隔を空けてかつ一対の縦桟１０，１０間に配されて壁厚方向両側に壁下地ボード５，７が固定される構成とされている。また、映像表示機器取付装置１は、一対の縦桟１０，１０及び上下の中間縦桟１３（１４，１６）に架け渡されるように固定される連結部材２０，２１，２４を備えている。また、映像表示機器取付装置１は、上下の中間縦桟１３を構成する上側の中間縦桟（上側中間縦桟）１４と下側の中間縦桟（下側中間縦桟）１６との間に納められるように映像表示機器９が埋込状に配設される構成とされている。
本実施形態では、映像表示機器取付装置１は、連結部材として、一対の縦桟１０，１０間に架け渡されるように上側中間縦桟１４の下端面１５及び下側中間縦桟１６の上端面１７にそれぞれ固定される一対の横桟２１，２４を備えた構成とされている。また、本実施形態では、映像表示機器取付装置１は、これら一対の横桟２１，２４及び一対の縦桟１０，１０によって囲まれる受入開口部３０に、受入開口部３０に受け入れられる映像表示機器９を保持する保持部材３２が配される構成とされている。
【００１２】
本実施形態に係る映像表示機器取付構造は、本実施形態では、本実施形態に係る映像表示機器取付装置１を用いた取付構造とされている。この映像表示機器取付構造は、上下方向に間隔を空けてかつ一対の縦桟１０，１０間に、壁厚方向両側に壁下地ボード５，７が固定される上下の中間縦桟１３（１４，１６）を設けた構造とされている。また、映像表示機器取付構造は、一対の縦桟１０，１０及び上下の中間縦桟１３（１４，１６）に架け渡すように連結部材２０，２１，２４を固定した構造とされている。また、映像表示機器取付構造は、上下の中間縦桟１３を構成する上側中間縦桟１４と下側中間縦桟１６との間に納めるように映像表示機器９を埋込状に配設した構造とされている。
また、本実施形態では、映像表示機器取付構造は、連結部材を、上側中間縦桟１４の下端面１５及び下側中間縦桟１６の上端面１７にそれぞれ固定された一対の横桟２１，２４としている。また、映像表示機器取付構造は、一対の横桟２１，２４及び一対の縦桟１０，１０によって囲まれた受入開口部３０に、受入開口部３０に受け入れられる映像表示機器９を保持する保持部材３２を設けた構造とされている。
【００１３】
この映像表示機器取付装置１の取付対象は、図３及び図４に示すように、映像表示機器取付装置１の上下両側に設けられる上下の下地２，２や映像表示機器取付装置１の左右両側に設けられる左右の下地３，３としてもよい。上下の下地２，２としては、住居等の建物に設けられる間柱等の各種柱材などの間仕切壁下地の固定対象と同様、胴差や梁、桁、土台、大引、ランナー等としてもよく、また、天井下地や床下地としてもよく、さらには、天井面や床面等としてもよい。また、左右の下地３，３としては、間仕切壁下地を構成する間柱やスタッド等の各種柱材としてもよい。また、上下左右の下地２，２，３，３としては、上記した種々の下地に固定された飼木（スペーサー材）等としてもよい。
【００１４】
図例では、映像表示機器取付装置１を下側の下地２上に設置し、その左右両側に設けられた一対の縦桟としての外側縦桟１０，１０のそれぞれを、間柱等の左右の下地３，３に止具４，４によって固定した例を示している。なお、図例では、当該映像表示機器取付装置１と上側の下地２との間に隙間を設けたような例を示しているが、当該映像表示機器取付装置１を、上側の下地２にも固定するようにしてもよい。また、例えば、当該映像表示機器取付装置１を、左右の下地３，３の両方または一方に固定せずに、上下の下地２，２に固定するようにしてもよい。また、当該映像表示機器取付装置１を、既設の間仕切壁に設置する場合には、既設の壁下地ボードや間仕切壁下地としての間柱を必要に応じて適宜、除去して設置するようにしてもよい。
【００１５】
当該映像表示機器取付装置１の壁厚方向両側に配される壁下地ボード５，７としては、一般的な壁下地ボードとしてもよく、例えば、石膏ボード（プラスターボード）やロックウールボード等の内装下地ボードとしてもよい。
映像表示機器９は、一般的なテレビジョン受像機や映像再生機器等としてもよく、その他、各種情報機器のディスプレイ（モニター）等としてもよい。また、映像表示機器９としては、液晶ディスプレイやプラズマディスプレイ、有機ＥＬディスプレイ等の薄型パネル状のディスプレイとしてもよい。このような映像表示機器９としては、画面サイズや外周寸法（縦寸法及び横寸法）が数種類に規格化されたものとしてもよい。
【００１６】
保持部材３２は、映像表示機器９を受入開口部３０に受け入れた状態で保持する構成とされている。
本実施形態では、一対の縦桟１０，１０間に架け渡されるように設けられる保持部材３２としている。また、受入開口部３０内において上下に間隔を空けて複数（図例では、２つ）の保持部材３２，３２を設けた例を示している。このような保持部材３２，３２としては、一対の縦桟１０，１０の互いに対向する内側面（受入開口部側に向く面）に固定される固定具と、この固定具に対して（例えば着脱自在に）固定され、かつ映像表示機器９の背面に固定される柱状体と、を備えた構成としてもよい。また、保持部材３２としては、映像表示機器９への配線等が容易に可能となるように、適宜のリンク機構等によって、映像表示機器９を壁厚方向に平行移動可能に保持するような構成とされたものとしてもよい。また、保持部材３２は、当該映像表示機器取付装置１が備えるものとしてもよく、映像表示機器９が備えるものとしてもよく、さらには別途に現場等において手配されたものとしてもよい。
【００１７】
映像表示機器取付装置１は、間仕切壁下地を構成するように設置され、壁厚方向両側に壁下地ボード５，７が配されて間仕切壁を構成し、映像表示機器９を埋込状に保持する構成とされている。
また、本実施形態では、映像表示機器取付装置１は、図４に示すように、一対の外側縦桟１０，１０とによって四周枠を構成する一対の外側横桟２０，２０を備えている。本実施形態では、これら一対の外側横桟２０，２０を、一対の外側縦桟１０，１０及び上下の中間縦桟１３（１４，１６）に架け渡されるように固定される連結部材としている。
また、これら一対の外側縦桟１０，１０及び一対の外側横桟２０，２０によって形成される四周枠内に、上下の中間縦桟１３（１４，１６）及び一対の横桟としての中間横桟２１，２４が配される構成とされている。本実施形態では、これら一対の中間横桟２１，２４を、一対の外側縦桟１０，１０及び上下の中間縦桟１３（１４，１６）に架け渡されるように固定される連結部材としている。
【００１８】
一対の外側縦桟１０，１０は、長手方向を上下方向に沿わせて配される略角柱状とされている。
また、本実施形態では、これら外側縦桟１０，１０は、壁厚方向一方側面１１，１１に、受入開口部３０を囲むように配される壁厚方向一方側の壁下地ボード（一方側壁下地ボード）７が固定される構成とされ、壁厚方向一方側の間仕切壁下地を構成する（図１参照）。また、図例では、これら外側縦桟１０，１０の壁厚方向に沿う寸法を、壁厚方向両側の壁下地ボード５，７間の壁厚方向に沿う寸法よりも小さい寸法としている。なお、このような態様に代えて、これら外側縦桟１０，１０の壁厚方向に沿う寸法を、これら外側縦桟１０，１０が壁厚方向両側の間仕切壁下地を構成するように、壁厚方向両側の壁下地ボード５，７間の壁厚方向に沿う寸法に応じた寸法としてもよい。
【００１９】
一対の外側横桟２０，２０は、長手方向を壁幅方向（左右方向）に沿わせて配される略角柱状とされている。
また、本実施形態では、これら外側横桟２０，２０は、壁厚方向一方側面に一方側壁下地ボード７が固定される構成とされ、壁厚方向一方側の間仕切壁下地を構成する（図２（ａ）参照）。また、図例では、これら外側横桟２０，２０の壁厚方向に沿う寸法を、壁厚方向両側の壁下地ボード５，７間の壁厚方向に沿う寸法よりも小さい寸法としている。なお、このような態様に代えて、これら外側横桟２０，２０の壁厚方向に沿う寸法を、これら外側横桟２０，２０が壁厚方向両側の間仕切壁下地を構成するように、壁厚方向両側の壁下地ボード５，７間の壁厚方向に沿う寸法に応じた寸法としてもよい。
【００２０】
これら一対の外側縦桟１０，１０と一対の外側横桟２０，２０とは、それぞれの長手方向端部同士を適宜のねじ等の止具によって固定し、枠組みされるものとしてもよい。図例では、これら外側横桟２０，２０と外側縦桟１０，１０とを横勝ち状に固定し、枠組みした例を示しているが、これらを縦勝ち状に固定し、枠組みするようにしてもよい。
なお、外側縦桟１０，１０の長さ寸法は、外側横桟２０，２０との接合態様や、当該映像表示機器取付装置１の設置箇所の上下寸法等に応じて、適宜、設定するようにしてもよく、間仕切壁の上下寸法に概ね応じた寸法としてもよい。
また、外側横桟２０，２０の長さ寸法は、外側縦桟１０，１０との接合態様や、映像表示機器９の壁幅方向に沿う寸法、映像表示機器９の納め態様等に応じて、適宜、設定するようにしてもよく、映像表示機器９の壁幅方向に沿う寸法に概ね応じた寸法としてもよい。
【００２１】
上下の中間縦桟１３は、上下方向に分断されるように間隔を空けて配される上側中間縦桟１４と下側中間縦桟１６とを備えている。つまり、受入開口部３０の上下両側のそれぞれに配される上側中間縦桟１４と下側中間縦桟１６とによって、一対の外側縦桟１０，１０間に配される上下で一組の中間縦桟１３を構成している。
これら上側中間縦桟１４及び下側中間縦桟１６は、それぞれ長手方向を上下方向に沿わせて配される略角柱状とされている。また、これら上側中間縦桟１４と下側中間縦桟１６とは、左右方向で一致した位置となるように配される。
また、これら上側中間縦桟１４及び下側中間縦桟１６は、それぞれの壁厚方向両側面１８，１９，１８，１９に、壁厚方向両側の壁下地ボード５，７がそれぞれに固定される構成とされ、壁厚方向両側の間仕切壁下地を構成する。つまり、これら上側中間縦桟１４及び下側中間縦桟１６は、壁厚方向に沿う寸法が壁厚方向両側の壁下地ボード５，７間の壁厚方向に沿う寸法に応じた寸法とされている。
【００２２】
また、上側中間縦桟１４は、上下両端部が上側の外側横桟２０及び上側の中間横桟２１にそれぞれ固定可能なように、上側の外側横桟２０から上側の中間横桟２１までの上下方向に沿う寸法に応じた長さ寸法とされている。また、下側中間縦桟１６は、上下両端部が下側の中間横桟２４及び下側の外側横桟２０にそれぞれ固定可能なように、下側の中間横桟２４から下側の外側横桟２０までの上下方向に沿う寸法に応じた長さ寸法とされている。
これら上側中間縦桟１４と下側中間縦桟１６との間の空間、つまり、上側中間縦桟１４の下端面１５から下側中間縦桟１６の上端面１７までの空間は、受入開口部３０に受け入れられた映像表示機器９が見易い高さ位置となるように設けられる。換言すれば、これら上側中間縦桟１４及び下側中間縦桟１６のそれぞれの長さ寸法を、当該映像表示機器取付装置１の設置箇所の上下寸法や受入開口部３０の高さ位置、中間横桟２１，２４や映像表示機器９の上下寸法、映像表示機器９の納め態様、保持部材３２の態様等に応じて適宜、設定するようにしてもよい。
また、この上側中間縦桟１４と下側中間縦桟１６との間の空間は、一対の中間横桟２１，２４間に映像表示機器９が概ね納まるように、適宜、設定するようにしてもよい。また、この上側中間縦桟１４から下側中間縦桟１６までの上下寸法を、上記同様、中間横桟２１，２４や映像表示機器９の上下寸法、映像表示機器９の納め態様、保持部材３２の態様等に応じて、適宜、設定するようにしてもよい。
【００２３】
また、本実施形態では、映像表示機器取付装置１は、一対の外側縦桟１０，１０間に壁幅方向に互いに間隔を空けて配される複数組（図例では、３組）の中間縦桟１３，１３，１３を備えている。これら複数組の中間縦桟１３，１３，１３は、互いに同様の構成とされている。つまり、これら複数組の中間縦桟１３，１３，１３は、それぞれに上下に分断された上側中間縦桟１４，１４，１４と下側中間縦桟１６，１６，１６とを備えた構成とされている。
これら中間縦桟１３，１３，１３を設ける組数は、一般的な間柱間の間隔と同程度の間隔（または間柱間の間隔よりも小さい間隔）を空けてこれらを他の間柱等と並列状に配設可能なように、映像表示機器９の壁幅方向に沿う寸法等に応じて、適宜の組数としてもよい。換言すれば、当該映像表示機器取付装置１を設置するために省略や除去等される間柱等の間仕切壁下地の本数に応じた組数の中間縦桟１３を設けるようにしてもよい。
図例では、映像表示機器取付装置１の壁幅方向略中央に上下一組の中間縦桟１３を設け、これの両側に等間隔を空けて上下一組の中間縦桟１３，１３をそれぞれに設けた構成としている。
【００２４】
一対の中間横桟２１，２４は、長手方向を壁幅方向（左右方向）に沿わせて配される略角柱状とされている。
これら中間横桟２１，２４は、長手方向両端部が左右両側に配される外側縦桟１０，１０にそれぞれ固定可能なように、一対の外側縦桟１０，１０間の寸法に応じた長さ寸法とされている。
また、本実施形態では、これら中間横桟２１，２４は、それぞれの壁厚方向一方側面２２，２５に一方側壁下地ボード７が固定される構成とされ、壁厚方向一方側の間仕切壁下地を構成する（図２参照）。つまり、本実施形態では、受入開口部３０の壁厚方向一方側の開口周縁の全周に亘って、一方側壁下地ボード７が固定される桟状部材１０，１０，２１，２４を備えた構成としている。
また、本実施形態では、これら中間横桟２１，２４の壁厚方向に沿う寸法を、外側横桟２０，２０の壁厚方向に沿う寸法と略同寸法としている。つまり、これら中間横桟２１，２４の壁厚方向に沿う寸法を、壁厚方向両側の壁下地ボード５，７間の壁厚方向に沿う寸法よりも小さい寸法としている。
【００２５】
これら中間横桟２１，２４は、長手方向両端部が各外側縦桟１０，１０に適宜のねじ等の止具によって固定されるものとしてもよい。また、図例では、上側の中間横桟２１の長手方向途中部位を、ねじ等の止具４によって上側中間縦桟１４の下端面１５に固定し、下側の中間横桟２４の長手方向途中部位を、ねじ等の止具４によって下側中間縦桟１６の上端面１７に固定した例を示している。なお、上側中間縦桟１４の上端部及び下側中間縦桟１６の下端部は、各外側横桟２０，２０に適宜のねじ等の止具によって固定されるものとしてもよい。
また、これら上下の中間横桟２１，２４によって受入開口部３０の上下両側が区画され、一対の外側縦桟１０，１０によって受入開口部３０の壁幅方向両側が区画される。
また、受入開口部３０の奥側（壁厚方向他方側の空間）は、中間縦桟１３が上下に分断されているため、中間縦桟１３に遮られることなく壁幅方向に空気の流通が可能とされている。また、上下の中間横桟２１，２４は、間仕切壁内の壁厚方向一方側部位のみに設けられることとなるため、受入開口部３０の壁厚方向他方側の空間は、その上下両側に空気の流通が可能とされ、後記するように空気流通空間３５を構成する（図２参照）。
なお、各横桟２０，２０，２１，２４の上下寸法（幅寸法）や各縦桟１０，１０，１３（１４，１６）の壁幅方向に沿う寸法（幅寸法）は、壁下地ボード７（，５）を適宜の止具によって固定可能なように、一般的な間柱等の間仕切壁下地の幅寸法と同程度の寸法等としてもよい。
【００２６】
また、本実施形態では、映像表示機器取付装置１は、図１（ｃ）及び図２（ｂ）に示すように、受入開口部３０の壁厚方向一方側の開口周縁の全周に亘って、映像表示機器９の四周端部を受け入れる段部１２，１２，２３，２６を設けた構成とされている。これら四周の段部１２，１２，２３，２６は、壁厚方向一方側及び受入開口部３０の開口中心側に向けて開口するように、切欠状に形成された凹段形状とされている。
これら段部１２，１２，２３，２６の壁厚方向一方側に向く段底面１２ａ，１２ａ，２３ａ，２６ａに、映像表示機器９の四周端部の背面が近接して対向される構成とされている。また、これら段部１２，１２，２３，２６の受入開口部３０の開口中心側に向く段壁面に、映像表示機器９の四周端面が近接して対向され、これら段壁面が、受入開口部３０の開口側内周縁３１を構成する。
【００２７】
また、本実施形態では、一対の外側縦桟１０，１０の壁厚方向一方側の対向側（受入開口部３０側）角部に切欠状に段部１２，１２を設けた構成としている。また、一対の中間横桟２１，２４の壁厚方向一方側の対向側（受入開口部３０側）角部に切欠状に段部２３，２６を設けた構成としている。これら一対の中間横桟２１，２４の段部２３，２６は、これら一対の中間横桟２１，２４の全長に亘って設けられている。
また、一対の外側縦桟１０，１０の段部１２，１２は、映像表示機器９の上下寸法に対応させて各外側縦桟１０，１０の長手方向途中部位のみに設けられたものとしてもよい。または、一対の外側縦桟１０，１０の段部１２，１２を、各外側縦桟１０，１０の全長に亘って設けるようにしてもよい。この場合は、これら外側縦桟１０，１０の段部１２，１２と中間横桟２１，２４の長手方向両端面とによって形成される隙間に、適宜、スペーサー材やパテ等の隙間充填材を充填し、隙間を埋めるようにしてもよい。
【００２８】
また、本実施形態では、映像表示機器取付装置１は、図１（ｃ）及び図２（ｂ）に示すように、受入開口部３０を囲むように配される壁厚方向一方側の壁下地ボード（一方側壁下地ボード）７の端面７ｂが対向される枠部２９を備えている。また、本実施形態では、枠部２９を、その壁厚方向一方側に向く表面２９ａが一方側壁下地ボード７の表面７ａと同一平面状となるように配される構成としている。
また、本実施形態では、枠部２９を、受入開口部３０の開口側内周縁３１を構成する一対の外側縦桟１０，１０及び一対の中間横桟２１，２４とは別体とされた枠部材２９としている。
【００２９】
この枠部材２９は、壁厚方向に沿う寸法が一方側壁下地ボード７の厚さ寸法と同寸法とされている。また、枠部材２９は、壁厚方向他方側面を、一対の外側縦桟１０，１０及び一対の中間横桟２１，２４の壁厚方向一方側面１１，１１，２２，２５に当接させて配される構成とされている。また、枠部材２９は、その内周側面が受入開口部３０の開口側内周縁３１を構成するように、上記した段部１２，１２，２３，２６の受入開口部３０の開口中心側に向く段壁面と同一平面状となるように配される構成とされている。
この枠部材２９は、一対の外側縦桟１０，１０及び一対の中間横桟２１，２４に対して、適宜、ねじ等の止具や接着剤等によって固定されるものとしてもよい。
また、この枠部材２９は、四角枠状に一連状に形成されたものとしてもよく、または、角柱状部材が連結されて枠組みされたものとしてもよい。
【００３０】
なお、上記した各桟１０，１３（１４，１６），２０，２１，２４や枠部材２９は、木質系材料から形成されたものとしてもよい。木質系材料としては、例えば、合板やＬＶＬ（単板積層材）等の木質積層板、パーティクルボード等の木質ボード、インシュレーションボードやＭＤＦ（中密度繊維板）等の木質繊維板などとしてもよい。また、このような態様に限られず、各桟１０，１３（１４，１６），２０，２１，２４や枠部材２９は、合成樹脂系材料や金属系材料から形成されたものとしてもよい。
また、上記した各桟１０，１３（１４，１６），２０，２１，２４や枠部材２９は、映像表示機器９の外周寸法等に応じて、予め寸法調整がなされているものとしてもよく、または、適宜、施工現場等において長さ調整等がなされるものとしてもよい。
【００３１】
次に、上記構成とされた映像表示機器取付装置１を用いた映像表示機器取付構造及びその施工手順の一例について説明する。
まず、図３に示すように、映像表示機器取付装置１を取付対象に固定する。この際、一対の外側縦桟１０，１０、上下の中間縦桟１３（１４，１６）、一対の外側横桟２０，２０及び一対の中間横桟２１，２４からなる組み付けられた状態の桟ユニットを、取付対象に固定するようにしてもよい。
そして、図３（ｂ）及び図４に示すように、桟ユニットに保持部材３２を固定し、保持部材３２に映像表示機器９を固定するようにしてもよい。図例では、映像表示機器９の壁厚方向一方側面が間仕切壁の壁厚方向一方側壁面と略同一平面状となるように、映像表示機器９を取り付けた構造としている（図１及び図２参照）。
【００３２】
また、本実施形態では、受入開口部３０を囲むように配される一方側壁下地ボード７の表面７ａと同一平面状となるように枠部材２９を設けた構造としている。また、枠部材２９に突き合わせるように一方側壁下地ボード７を配した構造としている。この一方側壁下地ボード７は、受入開口部３０側の端面７ｂを、枠部材２９の外周側面に近接または当接させ、一対の外側縦桟１０，１０、上下の中間縦桟１３（１４，１６）及び一対の中間横桟２１，２４の壁厚方向一方側面１１，１１，１８，１８，２２，２５や他の間仕切壁下地に固定するようにしてもよい。
また、これら枠部材２９及び一方側壁下地ボード７の表面２９ａ，７ａに表面化粧材８を貼着した構造としている。この表面化粧材８としては、壁クロス（壁紙）や合成樹脂化粧シート等としてもよい。
【００３３】
また、本実施形態では、図１（ｃ）及び図２（ｂ）に示すように、表面化粧材８を、受入開口部３０の開口側内周縁３１を構成する枠部材２９の内周側面及び各段部１２，１２，２３，２６の段壁面にも貼着した構造としている。また、表面化粧材８を、各段部１２，１２，２３，２６の段底面１２ａ，１２ａ，２３ａ，２６ａにも貼着した構造としている。この表面化粧材８は、枠部材２９の表面２９ａから受入開口部３０の開口側内周縁３１やこれに加えて各段部１２，１２，２３，２６の段底面１２ａ，１２ａ，２３ａ，２６ａに一連状に貼着するようにしてもよい。なお、枠部材２９の固定や表面化粧材８の貼着は、映像表示機器９を取り付ける前に行うようにしてもよく、または、保持部材３２に保持された映像表示機器９を、壁厚方向一方側に移動させて表面化粧材８を貼着するようにしてもよい。
【００３４】
また、本実施形態では、図２（ａ）及び図５（ｂ）に示すように、受入開口部３０の上方側部位及び下方側部位のそれぞれに、壁厚方向一方側の壁面において開口し、一対の外側縦桟１０，１０間の空間に連通する通気口３３，３４を設けた構造としている。これら通気口３３，３４は、受入開口部３０の壁厚方向他方側の空間とその上下両側の空間とによって形成される空気流通空間３５に連通するように設けられている。図例では、当該映像表示機器取付装置１によって形成される間仕切壁の上端部及び下端部のそれぞれに通気口３３，３４を設けた構成としている。また、これら通気口３３，３４を、当該映像表示機器取付装置１の壁幅方向略中央部位に位置するように設けた例を示している。また、図例では、複数組の中間縦桟１３，１３，１３によって壁幅方向に複数に区画された受入開口部３０の上下両側の空間のうちの中央側の空気流通空間３５に連通するように通気口３３，３４を設けた例を示している。なお、このような態様に代えて、複数組の中間縦桟１３，１３，１３によって壁幅方向に複数に区画された受入開口部３０の上下両側の空間の全てに連通するように通気口３３，３４を設けたり、複数の通気口３３，３４を設けたりした態様等としてもよい。
【００３５】
また、これら上下の通気口３３，３４は、表面化粧材８を貼着する前に、または表面化粧材８を貼着した後に、一方側壁下地ボード７を切り欠くように切除して形成するようにしてもよい。また、これら上下の通気口３３，３４に、適宜、ガラリやルーバー、フィルター等を設けるようにしてもよく、図例では、格子状のガラリを設けた例を示している。なお、空気流通空間３５内等に冷却ファン等の送風器を更に設けるようにしてもよい。
また、壁厚方向他方側の他方側壁下地ボード５を、桟ユニットの上下の中間縦桟１３（１４，１６）の壁厚方向他方側面１９，１９や他の間仕切壁下地に固定し、この他方側壁下地ボード５の表面５ａに、上記同様の表面化粧材６を貼着するようにしてもよい。
なお、上記施工手順は一例に過ぎず、各部材の機能を阻害しない限りにおいて別手順で行うようにしてもよい。
【００３６】
本実施形態に係る映像表示機器取付装置１及び映像表示機器取付構造は、上述のような構成としたことで、映像表示機器９を埋込状に配設可能でありながらも、壁下地ボード５，７の取付強度を向上させることができる。
つまり、上下の中間縦桟１３の上側中間縦桟１４と下側中間縦桟１６との間に納められるように映像表示機器９が埋込状に配設される構成としている。従って、間仕切壁に埋込状に映像表示機器９を配設することができる。
また、上下の中間縦桟１３（１４，１６）を、一対の縦桟（外側縦桟）１０，１０間に配されて壁厚方向両側に壁下地ボード５，７が固定される構成としている。従って、上下方向に間隔を空けて配される上側中間縦桟１４と下側中間縦桟１６との間に映像表示機器９の受け入れを可能としながらも、これら上下の中間縦桟１３（１４，１６）の壁厚方向両側に壁下地ボード５，７を固定することができる。これにより、一般的に３００ｍｍ〜５００ｍｍ程度とされる間柱間寸法よりも壁幅方向に沿う寸法が大きくなる傾向がある映像表示機器９を埋込状に取り付け可能としながらも、壁下地ボード５，７の取付強度を向上させることができる。
【００３７】
また、本実施形態では、一対の外側縦桟１０，１０及び上下の中間縦桟１３（１４，１６）に架け渡されるように固定される連結部材を、上側中間縦桟１４の下端面１５及び下側中間縦桟１６の上端面１７にそれぞれ固定される一対の横桟（中間横桟）２１，２４としている。従って、上側中間縦桟１４の下端部及び下側中間縦桟１６の上端部が各中間横桟２１，２４を介して一対の外側縦桟１０，１０に固定されることとなり、これら各桟１０，１３（１４，１６），２１，２４によって構成される桟ユニットの強度を向上させることができる。また、これら一対の中間横桟２１，２４及び一対の外側縦桟１０，１０によって囲まれる受入開口部３０に、受入開口部３０に受け入れられる映像表示機器９を保持する保持部材３２が配される構成としている。従って、各桟１０，１３（１４，１６），２１，２４が間仕切壁内に配され、保持部材３２が映像表示機器９の背面側（壁厚方向他方側面側）に配されるので、これらを目立ち難くすることができる。
【００３８】
また、本実施形態では、受入開口部３０の壁厚方向一方側の開口周縁の全周に亘って、一方側壁下地ボード７が固定される桟状部材としての一対の外側縦桟１０，１０及び一対の中間横桟２１，２４を設けている。従って、受入開口部３０の壁厚方向一方側の開口周縁に、一方側壁下地ボード７を安定的に固定することができる。
【００３９】
また、本実施形態では、受入開口部３０を囲むように配される一方側壁下地ボード７の端面７ｂが対向される枠部（枠部材）２９を設けている。従って、上述のように、枠部材２９に、受入開口部３０を囲むように配される一方側壁下地ボード７の端面７ｂを突き合わせるように配して壁厚方向一方側の壁面を構成することができる。また、例えば、一方側壁下地ボード７の切断端部が受入開口部３０の開口側内周縁３１を構成する態様とした場合と比べて、受入開口部３０の開口側内周縁３１の強度や見栄えを向上させることができる。
【００４０】
また、本実施形態では、枠部材２９を、その表面２９ａが受入開口部３０を囲むように配される一方側壁下地ボード７の表面７ａと同一平面状となるように配される構成としている。従って、上述のように、一方側壁下地ボード７及び枠部材２９の表面７ａ，２９ａに一連状に壁クロス等の表面化粧材８を貼着することができ、すっきりとした印象を与えることができる。また、本実施形態のように、枠部材２９の内周側面にも表面化粧材８を貼着することができ、これによれば、表面化粧材８の端部を目立ち難くすることができる。
【００４１】
また、本実施形態では、受入開口部３０の壁厚方向一方側の開口側部位に、壁厚方向一方側に向き、映像表示機器９の四周端部の背面が対向配置される段底面１２ａ，１２ａ，２３ａ，２６ａが形成されるように段部１２，１２，２３，２６を設けている。また、これら段底面１２ａ，１２ａ，２３ａ，２６ａにも表面化粧材８を貼着した構成としている。従って、映像表示機器９と受入開口部３０の開口側内周縁３１との間に隙間が形成されるような場合にも、間仕切壁内や、一対の外側縦桟１０，１０、一対の中間横桟２１，２４等を目立ち難くすることができる。なお、四周の段部１２，１２，２３，２６のうちのいずれかまたは全てを設けないようにしてもよい。
【００４２】
また、本実施形態では、受入開口部３０の上方側部位及び下方側部位のそれぞれに、壁厚方向一方側の壁面において開口し外側縦桟１０，１０間の空間に連通する通気口３３，３４を設けている。従って、上述のように、受入開口部３０の奥側となる一対の中間横桟２１，２４の壁厚方向他方側を介して上下両側の通気口３３，３４を連通させる空気流通路３５が形成される。これにより、受入開口部３０に受け入れられた映像表示機器９から発生する熱による自然対流等によって下側の通気口３３から取り入れた空気を上側の通気口３４から排気することができ、間仕切壁内空間の温度上昇を抑制することができる。なお、このような通気口３３，３４に代えて、または加えて、壁厚方向他方側の壁面において開口し外側縦桟１０，１０間の空間に連通する通気口を設けた態様としてもよく、さらには、このような通気口を設けないようにしてもよい。
【００４３】
次に、本発明の他の実施形態に係る映像表示機器取付装置及び映像表示機器取付構造の一例について図面を参照して説明する。
図６は、第２実施形態に係る映像表示機器取付装置及び映像表示機器取付構造を模式的に示す図である。
なお、上記した第１実施形態との相違点について主に説明し、同様の構成については、同一符号を付し、その説明を省略または簡略に説明する。
【００４４】
本実施形態に係る映像表示機器取付装置１Ａは、図６に示すように、映像表示機器９の壁厚方向一方側に配される透明パネル３６を備えた構成が、上記第１実施形態に係る映像表示機器取付装置１とは主に異なる。また、本実施形態では、受入開口部３０Ａの壁厚方向一方側の開口側部位に、壁厚方向一方側に向き、映像表示機器９の壁厚方向一方側に配される透明パネル３６の四周端部の背面が対向配置される段底面が形成されるように段部を設けている。本実施形態では、透明パネル３６の厚さ寸法を、一方側壁下地ボード７の厚さ寸法及び枠部材２９の壁厚方向に沿う寸法よりも小さい寸法としている。また、一対の外側縦桟１０Ａ，１０Ａ及び一対の中間横桟２１Ａ，２４Ａに段部を設けずに、これらの壁厚方向一方側面１１Ａ，１１Ａ，２２Ａ，２５Ａを、段底面としている。また、枠部材２９の内周側面を、段壁面とし、受入開口部３０Ａの開口側内周縁３１Ａを構成する態様としている。
つまり、本実施形態では、一対の外側縦桟１０Ａ，１０Ａ間の寸法を、映像表示機器９の壁幅方向に沿う寸法よりも大きい寸法とし、一対の中間横桟２１Ａ，２４Ａ間の寸法を、映像表示機器９の上下寸法よりも大きい寸法としている。
【００４５】
また、透明パネル３６は、受入開口部３０Ａを区画する桟状部材としての一対の外側縦桟１０Ａ，１０Ａや一対の中間横桟２１Ａ，２４Ａ等に、適宜の固定部材３７，３７を介して固定されるものとしてもよい。図例では、一対の外側縦桟１０Ａ，１０Ａに、ねじ等の止具によって固定されたＬ型ブラケット状の固定部材３７，３７によって透明パネル３６を固定した構造としている。また、図例では、透明パネル３６の壁厚方向一方側面が間仕切壁の壁厚方向一方側壁面と略同一平面状となるように、透明パネル３６を取り付けた構造としている。なお、この透明パネル３６は、映像表示機器９のメンテナンス等が可能なように、固定部材３７，３７に対して着脱可能に取り付けられるものとしてもよい。
【００４６】
上記構成とされた映像表示機器取付装置１Ａは、上記第１実施形態と概ね同様にして施工可能である。
また、本実施形態に係る映像表示機器取付装置１Ａを用いた映像表示機器取付構造も上記第１実施形態と概ね同様、一方側壁下地ボード７及び枠部材２９の表面７ａ，２９ａに一連状に壁クロス等の表面化粧材８を貼着している。また、受入開口部３０Ａの開口側内周縁３１Ａを構成する枠部材２９の内周側面にも表面化粧材８を貼着している。また、受入開口部３０Ａの壁厚方向一方側の開口側部位に形成され、透明パネル３６の四周端部の背面が対向配置される段底面にも表面化粧材８を貼着している。
【００４７】
本実施形態に係る映像表示機器取付装置１Ａ及び映像表示機器取付構造においても、上記第１実施形態と概ね同様の効果を奏する。また、本実施形態では、映像表示機器９の壁厚方向一方側に透明パネル３６を設けた構成としているので、よりすっきりとした印象を与えることができる。
なお、図例では、枠部材２９を、その外周側面が一対の外側縦桟１０Ａ，１０Ａの反受入開口部側面と同一平面状となるように配したような構成としているが、このような態様に限られない。一方側壁下地ボード７の受入開口部３０Ａ側の端部を一対の外側縦桟１０Ａ，１０Ａに固定可能なように、枠部材２９を、一対の外側縦桟１０Ａ，１０Ａの壁幅方向途中部位に配するようにしてもよい。
【００４８】
次に、本発明の更に他の実施形態に係る映像表示機器取付装置及び映像表示機器取付構造の一例について図面を参照して説明する。
図７及び図８は、第３実施形態に係る映像表示機器取付装置及び映像表示機器取付構造を模式的に示す図である。
なお、上記した第１実施形態との相違点について主に説明し、同様の構成については、同一符号を付し、その説明を省略または簡略に説明する。
【００４９】
本実施形態に係る映像表示機器取付装置１Ｂは、図７及び図８（ａ）に示すように、一対の中間横桟２１，２４を設けていない点が、上記第１実施形態に係る映像表示機器取付装置１とは主に異なる。つまり、本実施形態では、受入開口部３０Ｂの上下両側を、上下の中間縦桟１３の上側中間縦桟１４の下端面１５及び下側中間縦桟１６の上端面１７によって区画している。また、本実施形態では、一対の外側横桟２０，２０を連結部材としている。このような連結部材としては、一対の外側縦桟１０Ａ，１０Ａ及び上下の中間縦桟１３（１４，１６）を連結するように、これらに架け渡されるように固定されるものであればよく、桟状部材に限られず、板状部材としてもよい。また、枠部材２９を連結部材として把握するようにしてもよい。
【００５０】
また、本実施形態では、受入開口部３０Ｂの開口側内周縁３１Ｂに、上記のような映像表示機器９の四周端部を受け入れる切欠状の段部を設けずに、枠部材２９の内周側面が受入開口部３０Ｂの開口側内周縁３１Ｂを構成している。また、この枠部材２９を、内周側面が一対の外側縦桟１０Ａ，１０Ａの内側面（受入開口部側に向く面）並びに上側中間縦桟１４の下端面１５及び下側中間縦桟１６の上端面１７のそれぞれに略同一平面状となるように設けた例を示している（図８（ｂ）も参照）。
【００５１】
上記構成とされた映像表示機器取付装置１Ｂは、上記第１実施形態と概ね同様にして施工可能である。
また、本実施形態に係る映像表示機器取付装置１Ｂを用いた映像表示機器取付構造も上記第１実施形態と概ね同様、一方側壁下地ボード７及び枠部材２９の表面７ａ，２９ａに一連状に壁クロス等の表面化粧材８を貼着している。また、受入開口部３０Ｂの開口側内周縁３１Ｂを構成する枠部材２９の内周側面にも表面化粧材８を貼着している。
本実施形態に係る映像表示機器取付装置１Ｂ及び映像表示機器取付構造においても、上記第１実施形態と概ね同様の効果を奏する。また、本実施形態では、一対の中間横桟２１，２４や映像表示機器９の四周端部を受け入れる段部を設けていないので、構造の簡略化を図ることができる。
【００５２】
なお、本実施形態に係る映像表示機器取付装置１Ｂに、上記第２実施形態において説明したような透明パネル３６を設けるようにしてもよい。
また、上記した保持部材３２は、一例に過ぎず、種々の構成とされた保持部材３２の採用が可能である。例えば、保持部材３２を、受入開口部３０，３０Ａ，３０Ｂに対して映像表示機器９を壁厚方向に出し入れ自在に保持し、かつ映像表示機器９の画面の向き調整（角度調整）可能な構成とされたものとしてもよい。また、映像表示機器９の背面側に設けられるものに限られず、映像表示機器９の端部を保持したり、表面側を係止するように保持したりするような保持部材３２としてもよく、その他、種々の構成とされた保持部材３２の採用が可能である。
【００５３】
また、上記第１及び第２実施形態では、枠部材２９を、一対の外側縦桟１０，１０，１０Ａ，１０Ａ及び一対の中間横桟２１，２４，２１Ａ，２４Ａとは別体とされたものとした例を示しているが、このような態様に限られない。これらの全てまたはいずれかに一体的に、受入開口部３０，３０Ａを囲むように配される壁下地ボード７の端面７ｂが対向される枠部２９を設けた態様としてもよい。
また、上記各実施形態では、枠部２９を、表面２９ａが受入開口部３０，３０Ａ，３０Ｂを囲むように配される壁下地ボード７の表面７ａと同一平面状となるように配されるものとした例を示しているが、このような態様に限られない。受入開口部３０，３０Ａ，３０Ｂを囲むように配される壁下地ボード７の表面７ａよりも壁厚方向一方側に突出するように配される枠部を設けた構成としてもよい。この場合は、枠部の外周側面に突き合わせるように表面化粧材８を貼着した態様としてもよい。さらには、このような枠部を設けないようにしてもよい。この場合は、受入開口部３０，３０Ａ，３０Ｂを囲むように配される壁下地ボード７の端面７ｂが受入開口部３０，３０Ａ，３０Ｂの開口側内周縁３１，３１Ａ，３１Ｂを構成するものとしてもよい。
【００５４】
また、上記各実施形態では、映像表示機器９または透明パネル３６の壁厚方向一方側面が間仕切壁の壁厚方向一方側壁面と略同一平面状となるように、映像表示機器９または透明パネル３６を取り付けた構造とした例を示しているが、このような態様に限られない。
また、上記した例では、各実施形態に係る映像表示機器取付装置１，１Ａ，１Ｂを用いた映像表示機器取付構造について説明したが、このような態様に限られない。例えば、上記した映像表示機器取付装置１，１Ａ，１Ｂを構成する各部材のうちのいずれかまたは全てを適宜、施工現場等において加工等が施されて手配されたものとし、これを用いた映像表示機器取付構造としてもよい。
【符号の説明】
【００５５】
１，１Ａ，１Ｂ        映像表示機器取付装置
１０，１０Ａ          外側縦桟（縦桟）
１３                  上下の中間縦桟
１４                  上側中間縦桟（上側の中間縦桟）
１５                  下端面
１６                  下側中間縦桟（下側の中間縦桟）
１７                  上端面
２０                  外側横桟（連結部材）
２１                  上側の中間横桟（横桟、連結部材）
２４                  下側の中間横桟（横桟、連結部材）
２９                  枠部材（枠部）
２９ａ                表面
３０，３０Ａ，３０Ｂ  受入開口部
３２                  保持部材
３３                  下側の通気口（通気口）
３４                  上側の通気口（通気口）
５                    他方側壁下地ボード（壁下地ボード）
７                    一方側壁下地ボード（壁下地ボード）
７ａ                  表面
７ｂ                  端面
８                    表面化粧材
９                    映像表示機器
【図１】
2016057473.tif 000003
【図２】
2016057473.tif 000004
【図３】
2016057473.tif 000005
【図４】
2016057473.tif 000006
【図５】
2016057473.tif 000007
【図６】
2016057473.tif 000008
【図７】
2016057473.tif 000009
【図８】
2016057473.tif 000010